(57)【要約】      （修正有）【課題】半永久的に使用することができ、しかも、商品を傷めることもない商品陳列具の提供を目的とする。【解決手段】排出規制部材１３を整列台１２の前側に枢着し、上記排出規制部材１３に、最前列の商品Ａの排出を規制する第１規制片１７を設け、上記排出規制部材１３に、上記第１規制片１７が上記最前列の商品Ａの規制を解除する位置まで上記排出規制部材１３を回動させたとき、上記最前列の商品Ａが上記整列台１２の前方側へ排出されるにともなって、前方２列目に整列されていた商品が排出されることを規制する第２規制片１８を設け、上記前方２列目に整列されていた商品の上記第２規制片１８による規制を解除するとともに、上記前方２列目に整列されていた商品の排出を上記第１規制片１７により規制すべく、上記排出規制部材１３を回動前の初期姿勢へ積極的に復帰させる復帰手段を上記排出規制部材１３に具備した商品陳列具１１。【選択図】図３
0003107081.tif 000002
【実用新案登録請求の範囲】
【請求項１】
整列した複数の商品が自重により滑動するよう、前方に傾斜させて形成した整列台と、上記複数の商品が前方側から排出されることを規制するとともに、最前列の商品から１つずつ任意に排出することを許容する排出規制部材とを具備する商品陳列具であって、
上記排出規制部材を上記整列台の前側に枢着し、
上記排出規制部材に、上記最前列の商品の排出を規制する第１規制部を設け、
上記排出規制部材に、上記第１規制部が上記最前列の商品の規制を解除する位置まで上記排出規制部材を回動させたとき、上記最前列の商品が上記整列台の前方側へ排出されるにともなって、前方２列目に整列されていた商品が排出されることを規制する第２規制部を設け、
上記前方２列目に整列されていた商品の上記第２規制部による規制を解除するとともに、上記前方２列目に整列されていた商品の排出を上記第１規制部により規制すべく、上記排出規制部材を回動前の初期姿勢へ積極的に復帰させる復帰手段を上記排出規制部材に具備した
商品陳列具。
【請求項２】
前記復帰手段が、自重により復帰させる重錘である
請求項１に記載の商品陳列具。
【請求項３】
前記排出規制部材が前記初期姿勢に有するとき、上記排出規制部材における、前記整列台へ枢着した部位よりも前方側に該排出規制部材の重心が偏心するよう前記復帰手段を設けた
請求項２に記載の商品陳列具。
【請求項４】
前記排出規制部材に、商品に関する情報が表示された表示部を具備した
請求項１、請求項２、又は請求項３に記載の商品陳列具。
【請求項５】
前記第１規制部と前記復帰手段とを同一部材で形成した
請求項１から請求項４のうちいずれか１項に記載の商品陳列具。
【請求項６】
前記整列台の前側に、該整列台の前方から排出された商品を受ける商品受け部を設け、
上記商品受け部の下側を上記整列台を設置する設置面よりも下方に設けた
請求項１から請求項５のうちいずれか１項に記載の商品陳列具。
【考案の詳細な説明】
【技術分野】
【０００１】
この考案は、スーパーマーケットなどにおいて商品を陳列するためのものであり、さらに詳しくは、整列した複数の商品を１つずつ取り出すことのできる商品陳列具に関する。
【背景技術】
【０００２】
スーパーマーケットなどにおいて、商品を陳列する際に用いる商品陳列具は、従来のように単に商品を陳列するためだけでなく、様々な付加価値を有したものが提案されている。
【０００３】
例えば、整列した複数の商品を１つずつ取り出すことのできる商品陳列具として、下記特許文献１に係る商品展示小出し用容器とよばれる容器が存在する。
【０００４】
上記商品展示小出し用容器の大まかな構成は、上面が傾斜した支持台に容器本体とよばれる商品を整列した状態で収容する部材を取り付け、該容器本体の背面に、上端を両面テープで固定したレバー部品とよばれる部材を設け、該レバー部品に最下部の商品を支持する第一爪と、上記容器本体の前面に位置する操作ボタン部と、該操作ボタン部に隣接した第二爪とを設けた構成である。
【０００５】
上記構成を採る商品展示小出し用容器からの商品の取り出しは、上記操作用ボタン部を押さえることで、上記レバー部品を変形させることにより行う。これにより、上記第二爪は、下から２番目の商品を落ちないように拘束すると同時に第一爪は退避するため、最下部の商品のみを排出させることができるという仕組みである。
【０００６】
しかし、商品展示小出し用容器は、上記第一爪と第二爪との間の間隔と商品の幅とを略一致させて構成する必要がある。なぜなら、対象とする商品がタバコなどの柔らかいものである場合、最下部から２番目の商品を拘束しようと第二爪が容器本体に挿入されたとき、最下部の商品と２番目に有する商品との間にうまく入り込まなければ、タバコに直接、当接してしまい、タバコの表面に被覆されている紙が破れてしまうなどタバコの品質に問題が生じてしまう。
【０００７】
さらに、上記第二爪は、容器本体内に対して略直角に挿入されるため、商品に対しても略垂直に挿入されることになる。このため、例えば、対象とする商品の断面が四角形の場合、通常、整列された商品は、互いに密着し、その間には、隙間が殆ど存在しないため、上記第二爪を的確に商品どうしの間に挿入することは、困難となる。よって、第一爪と第二爪との間の間隔と商品の幅とが少しでもずれた場合には、商品、或いは、レバー部品自体が破損してしまうという問題を有する。
【０００８】
このように、上記第一爪と第二爪との間隔を正確に構成する必要があるにも関わらず、上記レバー部品は、立体形状であるとともに、複雑であるため（文献  の図  参照）、正確に形成することは困難であり、しかも、レバー部品は、弾性疲労により、寿命が限定されるという問題がある。
【０００９】
【特許文献１】特開平８−４７４４０号公報
【考案の開示】
【考案が解決しようとする課題】
【００１０】
そこで本考案では、半永久的に使用することができ、しかも、取り出す際に商品を傷めることもない商品陳列具の提供を目的とする。
【課題を解決するための手段】
【００１１】
本願考案に係る商品陳列具は、整列した複数の商品が自重により滑動するよう、前方に傾斜させて形成した整列台と、上記複数の商品が前方側から排出されることを規制するとともに、最前列の商品から１つずつ任意に排出することを許容する排出規制部材とを具備する商品陳列具であって、上記排出規制部材を上記整列台の前側に枢着し、上記排出規制部材に、上記最前列の商品の排出を規制する第１規制部を設け、上記排出規制部材に、上記第１規制部が上記最前列の商品の規制を解除する位置まで上記排出規制部材を回動させたとき、上記最前列の商品が上記整列台の前方側へ排出されるにともなって、前方２列目に整列されていた商品が排出されることを規制する第２規制部を設け、上記前方２列目に整列されていた商品の上記第２規制部による規制を解除するとともに、上記前方２列目に整列されていた商品の排出を上記第１規制部により規制すべく、上記排出規制部材を回動前の初期姿勢へ積極的に復帰させる復帰手段を上記排出規制部材に具備したことを特徴とする。
【００１２】
上記復帰手段は、例えば、ゴムやバネなどの弾性部材を上記整列台と上記排出規制部材との間に張架させ、その弾性力により上記排出規制部材を復帰させる構成であってもよい。
【００１３】
さらに、上記復帰手段は、自重により復帰させる重錘であることが好ましい。
【００１４】
上記復帰手段が重錘であれば、上記排出規制部材自体の重力を増加させ、その重力を利用することで積極的に上記排出規制部材を回動させることができる。このため、上記排出規制部材を一刻もはやく、初期姿勢へ復帰することができる。
【００１５】
本考案の商品陳列具は、上記排出規制部材が上記初期姿勢に有するとき、上記排出規制部材における、前記整列台へ枢着した部位よりも前方側に該排出規制部材の重心が偏心するよう前記復帰手段を設けたことを特徴とする。
【００１６】
上記構成を採れば、上記排出規制部材が初期姿勢に復帰した状態においても、商品が滑り落ちる方向と反対方向へ力を付与できるため、積極的に商品の規制を維持し続けることができる。
【００１７】
また、本考案の商品陳列具は、上記排出規制部材に、商品に関する情報が表示された表示部を具備したことを特徴とする。
【００１８】
上記表示部を具備することにより、上記排出規制部材を回動させるとき、表示部を押したり持ち上げたりして、表示部を回動させるための操作レバーとしても兼用することができる。
【００１９】
しかも、表示部を具備することにより、第１規制部や、第２規制部なども隠蔽することができる。このため、商品陳列具の見栄えを確保することができる。
【００２０】
また、本考案の商品陳列具は、上記第１規制部と上記復帰手段とを同一部材で形成してもよい。
【００２１】
上記構成を採れば、上記排出規制部材の構成を簡略化できるため、排出規制部材のコストをさらに低減することができる。
【００２２】
また、商品陳列具は、前記整列台の前側に、該整列台の前方から排出された商品を受ける商品受け部を設け、上記商品受け部の下側を上記整列台を設置する設置面よりも下方に設けることもできる。
【００２３】
この構成を採れば、上記商品陳列具を例えば、商品棚に設置したとき、商品棚の前端側を隠蔽できるため、商品陳列具を設置したときの見栄えを良好に保つことができる。
【考案の効果】
【００２４】
本願考案によれば、例えば、商品を収容した陳列箱などに、いちいち指を入れるなどして商品を取り出す必要がなく、上記排出規制部材を回動させるだけで商品を１つずつ容易に取り出すことができる。
【００２５】
また、上記排出規制部材が回動することで、上記第２規制部は、商品に対して垂直の状態ではなく、傾いた状態で最前列の商品と２列目の商品との間に入り込む。このため、最前列の商品を押さえつけることがなく、逆に、最前列の商品を前方へ押し出す方向に力を作用させることができる。
【００２６】
このため、商品を傷めることがなく、上記排出規制部材や商品自体の寸法誤差などの影響を受けずに正確に商品を排出することができる。
【００２７】
さらに、上記排出規制部材は、たわみ変形させることがないため、該排出規制部材自体に負担をかけることや弾性疲労してしまうこともなく、半永久的に使用できる。
【００２８】
また、上記復帰手段を具備することで、上記排出規制部材を回動前の初期姿勢へ積極的に復帰させることができる。このため、最前列から２列目の商品が滑り落ちてしまう前に確実にその動きを規制することができる。
【考案を実施するための最良の形態】
【００２９】
この考案の一実施形態を、以下図面を用いて説明する。  
まず、本考案に係る商品陳列具１１の構成を説明するが、ちなみに本実施形態で扱う商品は、例えば、１０個程度の粒状をしたガムやチョコレートを一列に配して、一体に包装された菓子を対象とする。
【００３０】
図１、図２、図３に示したように上記商品陳列具１１には、このような商品を複数個、前後方向に一列に整列した状態で載置される整列台１２と、該整列台１２に整列した商品を前側から排出しないように規制するとともに、任意に１つずつ排出することを許容する排出規制部材１３とを具備している。  
なお、図１、図２、図３は、それぞれ商品陳列具１１における外観図、分解斜視図、要部を断面で表した側面図である。
【００３１】
上記整列台１２には、その上面に相当し、商品が整列される商品整列部１４と、該商品整列部１４を支持する支持部１５と、上記商品整列部１４から排出された商品を受ける商品受け部１６とを備えている。
【００３２】
上記商品整列部１４は、複数の商品が自重により滑動するよう、上記商品整列部１４が前方に傾斜させた形態であり、幅方向における中央部を隔てた両側であって、該商品整列部１４の後端部から前端部の手前にかけて、断面視三角形状した摺動用突部１４ａを突設している。
【００３３】
上記摺動用突部１４ａにより、商品と商品整列部１４との間に生じる摩擦抵抗を低くすることができるため、商品をより滑らかに滑動させることができる。
【００３４】
さらに、上記商品整列部１４における左右両端には、左右方向において商品が滑動しないよう規制する側壁部１４ｂを備えている。
【００３５】
上記支持部１５は、上記商品整列部１４が前方に傾斜するよう該上記商品整列部１４を板状の脚体で構成している。上記支持部１５には、２枚の板状の部材を用い、これら２枚の板材は、上記商品整列部１４の前方が約４５度程度の勾配で傾斜する形態で形成し、上記商品整列部１４の下面における後端側と前側とに接着している。
【００３６】
さらに、上記商品受け部１６は、上記商品整列部１４の前端から前方下方へ向けて屈曲させた形態で形成している。
【００３７】
上記商品受け部１６の先端側は、排出された商品を保持可能に前方上方に向けて屈曲させて形成している。さらに、該屈曲させた先端部の中央部は半円弧状に切り欠いた切り欠き部を形成し、商品受け部１６に排出された商品を取り出す際に把持し易い構成としている（図１、図２参照）。
【００３８】
なお、このように、商品陳列具１１を設置面に設置したとき、上記商品受け部１６が設置面よりも下側に位置するよう上記商品受け部１６を構成することで、例えば、商品棚などの上記設置面の前端部を隠蔽することができるため、設置したときの見栄えを向上させることができる（図３参照）。
【００３９】
一方、上記排出規制部材１３については、第１規制片１７、第２規制片１８、金具１９、表示部２０、枢着部２１とを具備し、上記整列台１２の前側であって、上記側壁部１４ｂの上部に上記枢着部２１を枢着し、上記整列台１２と一体に構成している。
【００４０】
上記排出規制部材１３には、上記第１規制片１７を、商品整列部１４の前端において、上記排出規制部材１３を枢着したとき、上記最前列の商品Ａの排出を規制するよう形成している（図３参照）。  
さらに、第１規制片１７の幅方向の下部には、側壁部１４ｂ前端に当接する位置決め突起部１７ｂを設けている（図１、図２参照）。
【００４１】
また、排出規制部材１３には、上記第２規制片１８を、第１規制片１７に対してなす角が略直角に形成している。なお、第２規制片１８が突起している長さは、第１規制片１７よりも半分以下である。さらに、上記第２規制片１８の基部１８ａは、上記表示部２０の背面側から突設している。
【００４２】
上記第２規制片１８の基部１８ａは、上記表示部２０に対して、約６０度程度、背面側斜め上方に突設している。そして、表示部２０に過大な力が作用しないように、表示部２０と上記第２規制片１８の基部とのなす角の間には上記表示部２０の背面における１部位を屈曲させたとき、片状になるよう切り抜いた支持片２２を構成している。
【００４３】
また、上記金具１９は、枢着部２１の前方側に取り付けている。具体的には、上記金具１９は、表示部２０の背面における下部側から第１規制片１７の基部にかけて接着している。
【００４４】
最後に、上記表示部２０は、所定のサイズのカードが差し込み可能に無色透明をした合成樹脂製の板状に形成し、その内部には、ＰＯＰカードが差し込まれている。上記ＰＯＰカードの中央部には、商品整列部１４に整列した商品に関する情報、宣伝内容などがプリントされているとともに、表示部２０の上部には、商品を取り出すとき、客に対して表示部２０を押圧する行為を促す「ＰＵＳＨ」、及び、表示部２０の下部には、客に対して表示部２０を持ち上げる行為を促す「ＵＰ」という文字もプリントされている（図１参照）。
【００４５】
本実施形態における商品陳列具１１は、上述のように構成するものとし、以下、商品整列部１４に商品が整列されている上記商品陳列具１１から商品を取り出す際の手順を中心に説明する。
【００４６】
まず、客（商品陳列具１１の利用者）は、商品が整列されている排出規制部材１３が整列台１２の側に傾倒するように表示部２０の上部を押圧することにより、図４に示したように、排出規制部材１３を表示部２０の背面の上部が側壁部１４ｂ上端に当接するまで回動させる。  
なお、排出規制部材１３の下部を持ち上げて回動させてもよい。
【００４７】
これにより、それまで上記第１規制片１７は、最前列の商品Ａが自重により滑動することを規制していたが、上記規制を解除することになる。このため、整列されていた商品は、前方への滑動を開始する。
【００４８】
ここで、確かに最前列の商品Ａは、規制するものがないため、そのまま商品受け部１６の方へ排出される。
【００４９】
しかし、排出規制部材１３の上記回動にともなって、最前列から２列目の商品Ｂの前方に第２規制片１８が入り込むことで、第２規制片１８の先端部が２列目の商品Ｂを係止することができる。  
これにより、最前列から２列目の商品Ｂは勿論、それよりも後方側に整列された商品の排出も規制することができる。
【００５０】
そして、客は、排出規制部材１３が側壁部１４ｂ上端に当接したと同時に表示部２０から手を離す。すると、排出規制部材１３は、積極的に回動前の初期姿勢へと復帰する方向に回転しようとする。
【００５１】
これは、排出規制部材１３における枢着部２１よりも前方側に上記金具１９を接着したことにより、排出規制部材１３の重心が枢着部２１に対して前方側へ偏心したためである。すなわち、排出規制部材１３に作用する重力により、排出規制部材１３には、自身が積極的に初期状態へ復帰する方向へ回動させようとする力が作用するためである。
【００５２】
すると、図５（ａ）に示したように、この力は、第２規制片１８の先端部と最前から２列目の係止を解除するため、商品は再び前方へ滑動し始める。
【００５３】
図５（ｂ）に示したように、排出規制部材１３については、排出規制部材１３における第１規制片１７が再び、商品整列部１４の前端に復帰したとき、第１規制片１７の両側に有する上記突起部１７ｂが、該商品整列部１４の側壁部１４ｂの前端に当接し（図１における１７ｂ参照）、その回動を停止させることができる。このように、排出規制部材１３を、回動前の初期姿勢で位置決めすることにより、排出規制部材１３を回動前の初期姿勢へ積極的に復元することができる。
【００５４】
すなわち、最前列に位置していた商品Ａが排出された後に、商品整列部１４の前端において、第１規制片１７が最前列から２列目であった商品Ｂを遮断することになる。これにより、第１規制片１７は、２列目であった商品Ｂを排出されることを規制することができる。
【００５５】
さらに、上記金具１９を設けているため、排出規制部材１３が初期姿勢の状態であっても、排出規制部材１３には、初期姿勢へ復帰する際に回動させた方向と同一方向のモーメント（曲げ応力）を作用させることができる。
【００５６】
すなわち、このようなモーメント（Ｍ）（図５ｂ参照）が作用することにより、排出規制部材１３には、商品整列部１４に整列している商品が自重により滑動しようとする方向と反対方向に作用する力を付勢することができる。このため、第１規制片１７は、上記複数個の商品の自重による付加を受けても、該商品の排出を積極的に規制することができる。  
以上により、客は、図６に示したように商品陳列具１１から１つの商品を取り出すことができる。
【００５７】
上述した、本実施形態に係る商品陳列具１１は、以下のような効果を奏することができる。
【００５８】
上記排出規制部材１３を回動させるだけで商品を１つずつ容易に取り出すことができる。このとき、例えば、上記排出規制部材１３をたわみ変形させることがなく、該排出規制部材１３自体に負担をかけることや弾性疲労してしまうこともないため、半永久的に使用できる。
【００５９】
さらに、第１規制片１７や第２規制片１８が商品を垂直方向に押さえつけてしまうことがないため、商品を傷めることがない。
【００６０】
また、上記排出規制部材１３の所定部位に、上記金具１９を取り付けるだけで、その重力を利用して積極的に上記排出規制部材１３を初期姿勢に復帰させることができる。このため、例えば、バネ等の弾性力で初期姿勢へ復帰させる構成のように構成が複雑になら故障になり難くすることができる。
【００６１】
上記排出規制部材１３を初期姿勢へ迅速に復帰させることができるため、第１規制片１７を所定場所で待機させることができる。これにより、確実に最前から２番目の商品Ｂが排出してしまうことを規制することができる。
【００６２】
表示部２０を具備することでより陳列している商品の視認性を向上させることができ、商品の販売促進を図ることができる。
【００６３】
排出規制部材１３を初期姿勢に復帰したときも金具１９を取り付けたことにより、商品を規制する上で充分なモーメントを作用させて商品を規制する方向に付勢させることができる。よって、第１規制片１７は、整列台１２に多数の商品が整列されていても確実に商品の排出を規制することができる。
【００６４】
以上、本実施形態に係る商品陳列具１１を説明したが、上述した本実施形態に係る商品陳列具１１は、あくまでも本考案の一実施形態にすぎない。  
例えば、図７に示したように、商品陳列具３１は、第１規制片１７と金具１９とを同一部材で構成することもできる。
【００６５】
この場合、例えば上記金具３２を断面視略「レ」の字形に形成してもよい。具体的には、上記第１規制片１７は上述したよう枢着部２１の近傍から突起させずに、且つ、表示部２０に取り付けた金具３２の下端部が、排出規制部材１３が初期姿勢のときに商品整列部１４の前端に達するまで金具３２の下端部を突起させて形成することができる。
【００６６】
この構成を採れば、金具１９は、排出規制部材１３を積極的に初期姿勢に復帰させるためだででなく、金具１９における上記突起させた先端部により商品の排出を規制することができるため、上記第１規制片１７の機能を賄うことができる。
【００６７】
すなわち、商品陳列具３１の部品点数を減らすことができるため、全体のコストを低減できる。
【００６８】
また、例えば、排出規制部材１３に、磁石を取り付けておき、適宜、金具１９を追加可能とする構成とし、商品の種類、形態に応じて排出規制部材１３を初期姿勢に復帰させる速さを調節可能としてもよい。
【００６９】
また、本実施形態で対象とした商品は上述したような菓子であるが、勿論、対象とする商品は、上記菓子に限らず、例えば、タバコ、文房具などあらゆる商品を含む。
【００７０】
さらに、商品陳列具１１は、商品整列部１４に商品を整列して用いることが好ましいが、上述したように整列した場合に限らず、例えば、いわゆるラムネなど粒状の菓子を商品整列部１４内に充填した状態で、排出規制部材１３を回動させることで、所定量ずつの菓子を排出することも含む。
【００７１】
さらに、複数の商品を整列することにより、その重量から商品陳列具１１自体が滑動したり、倒伏してしまうことなく安定に設置面に設置させるために、上記商品整列部１４を支持する支持部１５には、ゴムなどの摺動を防止する部材を取り付けたり、全体の重心を下げるため、支持部１５にも重錘を具備してもよい。
【００７２】
このように、本考案の商品陳列具は、上述した一実施形態に係る商品陳列具１１，３１に限定しない。  
上述の実施形態と、この考案の構成との対応において、この実施形態の第１規制片１７は、この考案の第１規制部に対応し、
以下同様に、第１規制片１８は、第２規制部に対応し、
金具１９は、復帰手段に対応し、
枢着部２１は、上記排出規制部材における、前記整列台へ枢着した部位に対応するも、
この考案は、上述の実施形態の構成のみに限定されるものではなく、多くの実施の形態を得ることができる。
【図面の簡単な説明】
【００７３】
【図１】商品陳列具の外観図。
【図２】商品陳列具を分解して示した外観図。
【図３】商品陳列具の要部を示した断面図。
【図４】商品を取り出す際の商品陳列具の作用状態を説明する断面図。
【図５】商品を取り出す際の商品陳列具の作用状態を説明する断面図。
【図６】商品整列部から商品を１つ排出した状態を示した外観図。
【図７】他の実施形態に係る商品陳列具の外観図。
【符号の説明】
【００７４】
１１，３１…商品陳列具
１２…配列台
１３…排出規制部材
１６…商品受け部
１７…第１規制片
１８…第２規制片
１９…金具
２０…表示部
２１…枢着部
【図１】
0003107081.tif 000003
【図２】
0003107081.tif 000004
【図３】
0003107081.tif 000005
【図４】
0003107081.tif 000006
【図５】
0003107081.tif 000007
【図６】
0003107081.tif 000008
【図７】
0003107081.tif 000009